(57)【要約】【課題】回転演出体の回転が停止しているときのふら付きを防止すること。【解決手段】遊技機１０は、移動ベース１１０と、移動ベース１１０に回転可能に支持された回転演出体１１５と、回転演出体１１５を回転駆動するためのモータ１２１と、をしている。そして、遊技機１０は、回転演出体１１５が初期位置に配置され、且つ、モータ１２１がオフであるときに、回転演出体１１５の回転を規制する押圧部材１３１をさらに有している。【選択図】図１３
2020000502.tif 000002
【特許請求の範囲】
【請求項１】
支持ベースと、
前記支持ベースに回転可能に支持された回転演出体と、
前記回転演出体を駆動するモータと、を有する遊技機において、
前記回転演出体が所定の回転位置に配置され、且つ前記モータがオフであるときに、前記回転演出体の回転を規制する回転規制部材を有する、遊技機。
【請求項２】
前記回転規制部材は、前記回転演出体が前記所定の回転位置に配置されたときに、前記回転演出体と一体に回転する回転体の周方向の１箇所に設けられた被係合部と係合する、請求項１に記載の遊技機
【請求項３】
前記回転規制部材は、前記回転体の径方向外側に配置されて前記回転体の中心に向かって付勢され、前記回転体の外周面に形成された前記被係合部としての凹部と凹凸係合する、請求項２に記載の遊技機。
【請求項４】
前記凹部は、前記回転体の軸方向に延在する丸溝で構成され、
前記回転規制部材は、前記回転体の中心側へ向かって膨出して前記丸溝と凹凸係合する円形突部を有している、請求項３に記載の遊技機。
【請求項５】
前記回転規制部材は、
前記回転体の径方向に直動する直動ベースと、
前記直動ベースに回転自在に取り付けられ、前記直動ベースに対して前記回転体の中心側にはみ出るように配置されて前記凹部と凹凸係合する回転部と、を有する、請求項４に記載の遊技機。
【請求項６】
前記支持ベースは、第１位置と第２位置との間を移動可能に構成され、
前記支持ベースが前記第１位置に配置され、且つ前記回転演出体が前記所定の回転位置に配置された状態で、前記回転演出体と当接して該回転演出体の正逆両方向の回転を規制する１対の回転ストッパと、を有する、請求項１乃至５のうち何れか１項に記載の遊技機。
【発明の詳細な説明】
【技術分野】
【０００１】
本発明は、遊技機に関する。
【背景技術】
【０００２】
従来の遊技機として、支持ベースに回転可能に支持された回転演出体を有するものが知られている（例えば、特許文献１参照）。
【先行技術文献】
【特許文献】
【０００３】
【特許文献１】特開２０１７−１６９７４６号（段落［００２４］〜［００２９］、図３，７，８）
【発明の概要】
【発明が解決しようとする課題】
【０００４】
従来の遊技機において、回転演出体の回転が停止しているときのふらつき防止が求められている。
【課題を解決するための手段】
【０００５】
上記課題を解決するためになされた請求項１の発明は、支持ベースと、前記支持ベースに回転可能に支持された回転演出体と、前記回転演出体を駆動するモータと、を有する遊技機において、前記回転演出体が所定の回転位置に配置され、且つ前記モータがオフであるときに、前記回転演出体の回転を規制する回転規制部材を有する、遊技機である。
【発明の効果】
【０００６】
上記発明によれば、回転演出体の回転方向のふらつきが抑制される。
【図面の簡単な説明】
【０００７】
【図１】本開示の一実施形態に係る遊技機の正面図
【図２】遊技盤の正面図
【図３】第１可動役物装置、第２可動役物装置及び機構枠の斜視図
【図４】第１可動役物及び昇降機構の前方斜視図
【図５】第１可動役物及び昇降機構の後方斜視図
【図６】第１退避位置に配置された第１可動役物と昇降機構を模式的に示す図
【図７】第１演出位置に配置された第１可動役物と昇降機構を模式的に示す図
【図８】第１可動役物及び位置決め機構の後方斜視図
【図９】位置決め機構の（Ａ）前方斜視図、（Ｂ）後方斜視図
【図１０】（Ａ）第１退避位置に配置された第１可動役物とストッパアームを模式的に示す図、（Ｂ）第１演出位置へ向かう第１可動役物とストッパアームを模式的に示す図
【図１１】（Ａ）第１可動役物に押されて回動するストッパアームを模式的に示す図、（Ｂ）途中位置に配置された第１可動役物とストッパアームを模式的に示す図
【図１２】第１可動役物の平面図
【図１３】回転駆動機構の背面図
【図１４】回転駆動機構の後方斜視図
【図１５】回転規制機構の背面図
【図１６】回転規制機構の後方斜視図
【図１７】第２可動役物装置の（Ａ）正面図、（Ｂ）後方斜視図
【図１８】役物駆動機構の（Ａ）前方斜視図、（Ｂ）背面図
【図１９】（Ａ）第２可動役物が第２退避位置に配置されたときの第１アームと第２アームの配置を示す正面図、（Ｂ）第２可動役物が第２演出位置へ回動するときの第１アームと第２アームの配置を示す正面図
【図２０】（Ａ）合体前の第１可動役物と第２可動役物を模式的に示す図、（Ｂ）合体後の第１可動役物と第２可動役物を模式的に示す図
【図２１】他の実施形態に係る第１可動役物とストッパスライドを模式的に示す図
【図２２】他の実施形態に係る押圧部材と第２回転盤の背面図
【発明を実施するための形態】
【０００８】
図１に示されるように、本実施形態に係る遊技機１０は、図２に示される遊技盤１１を前面枠１０Ｚで覆ってなり、その前面枠１０Ｚに形成されたガラス窓１０Ｗを通して、遊技盤１１の前面側に形成された遊技領域Ｒ１の全体が視認可能となっている。遊技領域Ｒ１は、遊技盤１１の前面から突出した略円形のガイドレール１２に囲まれている（図２参照）。なお、以下の説明において、特記しない限り「右」及び「左」とは、遊技機１０を前方から見た場合の「右」及び「左」を指すものとする。
【０００９】
前面枠１０Ｚのうちガラス窓１０Ｗより下方には、上皿２６と下皿２７が上下２段にして設けられ、下皿２７の右側には、発射用ハンドル２８が備えられている。そして、発射用ハンドル２８が回動操作されると、上皿２６に収容された遊技球が発射装置（図示せず）によって１球ずつ遊技領域Ｒ１に向けて弾き出される。
【００１０】
図２に示されるように、遊技盤１１のうち遊技領域Ｒ１の中央には、表示開口１１Ｈが貫通形成されていて、その表示開口１１Ｈに遊技盤１１の裏面側から表示装置１３が対向している。表示装置１３は、例えば、液晶モジュールで構成され、遊技に関する演出を行う表示画面１３Ｇを前面に有する。
【００１１】
遊技盤１１の前面中央には、表示画面１３Ｇを囲むように表示装飾枠２３が取り付けられている。表示装飾枠２３は、遊技盤１１の前面側から表示開口１１Ｈに嵌め込まれると共に、遊技盤１１の前面より前側に突出している。これにより、遊技領域Ｒ１を流下する遊技球が、表示装飾枠２３を乗り越えて表示装飾枠２３の内側に進入することが規制されている。
【００１２】
遊技領域Ｒ１のうち表示装飾枠２３の右側部分には、始動ゲート１８が設けられている。始動ゲート１８は、遊技領域Ｒ１を流下する遊技球が潜って通過可能な門形状に形成されている。始動ゲート１８を遊技球が通過すると、普通図柄当否判定が行われる。
【００１３】
遊技領域Ｒ１のうち表示装飾枠２３の下側部分における横方向の中央部には、第１始動入賞口１４Ａが設けられている。第１始動入賞口１４Ａは、遊技球が１つずつ入球可能な大きさの開口を上部に有するポケット構造をなして、常時開放している。
【００１４】
第１始動入賞口１４Ａの下方には、第２始動入賞口１４Ｂが設けられている。第２始動入賞口１４Ｂは、前側に開放し、回動扉１４Ｔによって開閉される。具体的には、回動扉１４Ｔは、通常は、鉛直に起立した閉位置に配置され、上述の普通図柄当否判定で当りになると、下端部を中心に回動し、前倒しとなった開位置に配置される。開位置に配置された回動扉１４Ｔは、上方から流下する遊技球を受け止めて第２の始動入賞口１４Ｂへと案内する。
【００１５】
各始動入賞口１４Ａ，１４Ｂに遊技球が入球すると、所定数の遊技球が賞球として上皿２６（図１参照）に払い出されると共に、特別図柄当否判定が行われる。特別図柄当否判定の結果は、表示画面１３Ｇに表示される。特別図柄当否判定で当りになると、遊技状態が大当り遊技状態になって、大当り遊技が実行される。
【００１６】
遊技領域Ｒ１のうち表示装飾枠２３の右下部分には、大入賞口１５が設けられている。大入賞口１５は、横長矩形に形成されて、通常の遊技状態では、可動扉１５Ｔにて閉塞されている。遊技状態が大当り遊技状態になって大当り遊技が実行されると、可動扉１５Ｔが所定期間に亘って前側に倒されて大入賞口１５が開放し、可動扉１５Ｔを案内にして、大入賞口１５に多くの遊技球が入球可能となる。大入賞口１５に遊技球が入球すると、所定数の遊技球が賞球として上皿２６（図１参照）に払い出される。大当り遊技では、予め設定された回数だけ大入賞口１５が開放されるラウンド遊技が、大当り遊技の種類に応じた回数だけ実行される。１回のラウンド遊技は、予め定められた上限数の遊技球が大入賞口１５に入球するか又は予め設定されたラウンド遊技時間が経過すると、終了する。
【００１７】
遊技領域Ｒ１には、第１始動入賞口１４Ａ、第２始動入賞口１４Ｂ及び大入賞口１５のほか複数の一般入賞口２０が設けられている。一般入賞口２０は、第１始動入賞口１４Ａと同様のポケット構造をなして、常時開放している。一般入賞口２０に遊技球が入球すると、所定数の遊技球が賞球として上皿２６（図１参照）に払い出される。また、遊技領域Ｒ１には、何れの入賞口１４Ａ，１４Ｂ，１５，２０にも入球しなかった遊技球を外部に排出するためのアウト口１６が備えられている。
【００１８】
遊技盤１１の後側には、図３に示される機構枠１７が備えられている。機構枠１７は、遊技盤１１と略平行に配置される矩形枠状の主盤１７Ａと、主盤１７Ａの外縁部から前方に突出する包囲壁１７Ｈと、からなる。なお、上述した表示装置１３は機構枠１７の後側に配置され、表示画面１３Ｇは、主盤１７Ａの中央開口１７Ｋと遊技盤１１の表示開口１１Ｈとを通して遊技者に視認可能となっている。
【００１９】
機構枠１７には、第１可動役物装置１００Ｓと第２可動役物装置２００Ｓを含む種々の装置が組み付けられている。第１可動役物装置１００Ｓは、機構枠１７の下辺部に組み付けられ、第２可動役物装置２００Ｓは、機構枠１７の左辺部と右辺部に組み付けられている。
【００２０】
［１］第１可動役物装置１００Ｓ
図３及び図４に示されるように、第１可動役物装置１００Ｓは、第１固定ベース１０１と、第１固定ベース１０１に対して移動可能な第１可動役物１００と、を備えている。第１固定ベース１０１は、横長矩形状をなして、主盤１７Ａの下辺部に前側から重ねて固定されている。第１可動役物１００は、第１固定ベース１０１より前側に配置され、第１固定ベース１０１に組み付けられた昇降機構１５０によって、上下方向に駆動される。具体的には、第１可動役物１００は、第１固定ベース１０１に取り付けられたガイドレール１８０（図４，５参照）に沿って、第１固定ベース１０１の横方向の中央部に前側から重ねられる第１退避位置（図６参照）と、主盤１７Ａの中央開口１７Ｋの中央部に前側から重ねられる第１演出位置（図７参照）との間を移動する。本実施形態の遊技機１０では、ガイドレール１８０は、上下方向に延在していて、第１可動役物１００は、上下方向に移動可能となっている。なお、本実施形態では、ガイドレール１８０は、伸縮式のスライドレールで構成されている。
【００２１】
１−１．昇降機構１５０
図３及び図４に示されるように、昇降機構１５０は、第１退避位置に配置された第１可動役物１００を横方向に挟むように、第１固定ベース１０１の左側部分と右側部分とに対をなして固定されている。左側の昇降機構１５０と右側の昇降機構１５０は、左右対称な構造になっている。
【００２２】
図４に示されるように、昇降機構１５０は、駆動モータ１５１（図３参照）によって駆動される第１回動リンク１５５及び第２回動リンク１５６を備えている。具体的には、駆動モータ１５１の駆動力は、駆動ギア１５２、中継ギア１５３、係合ギア１５４を介して第１回動リンク１５５に伝達され、第１回動リンク１５５の動力が第２回動リンク１５６に伝達される。そして、第２回動リンク１５６の動力が第１可動役物１００に伝達される。
【００２３】
図６に示されるように、第１回動リンク１５５は、第１可動役物１００が第１退避位置に配置された状態において、第１固定ベース１０１の側辺部（左側の昇降機構１５０においては左辺部、右側の昇降機構１５０においては右辺部）に重ねられる第１辺部１５５Ｆと、第１辺部１５５の下端から第１固定ベース１０１の左右方向中央側へ向かう第２辺部１５５Ｓと、を有するＬ字形状に形成されている。そして、第１回動リンク１５５は、第２辺部１５５Ｓのうち第１辺部１５５Ｆから遠い側の端部に、第１固定ベース１０１に対して略垂直な回動軸心を有する回動軸部１５５Ｊを有している。
【００２４】
第１回動リンク１５５の第２辺部１５５Ｓには、第２辺部１５５Ｓの延在方向に延びる係合長孔１５５Ｎが形成されている。この係合長孔１５５Ｎには、係合ギア１５４に突設された係合ピン１５４Ｐが係合している。そして、駆動モータ１５１（図３参照）からの動力を受けて係合ギア１５４が回転すると、図６から図７への変化に示されるように、第２辺部１５５Ｓは、横倒しになった状態から上側へ起き上るように回動する。すると、第１回動リンク１５５の第１辺部１５５Ｆは、第２辺部１５５Ｓから遠い側の端部が上側へ向かいつつ第１固定ベース１０１の左右方向中央側へ向かうように回動する。
【００２５】
第２回動リンク１５６は、第１可動役物１００が第１退避位置に配置された状態において、第１固定ベース１０１の側辺部（左側の昇降機構１５０においては左辺部、右側の昇降機構１５０においては右辺部）に重ねられる第１辺部１５６Ｆと、第１辺部１５６Ｆの下端から第１固定ベース１０１の左右方向中央側へ向かう第２辺部１５６Ｓと、を有するＬ字形状に形成されている。そして、第２回動リンク１５６は、第１辺部１５６Ｆのうち第２辺部１５６Ｓから遠い側の端部に、第１固定ベース１０１に対して略垂直な回動軸心を有する回動軸部１５６Ｊを有している。
【００２６】
第２回動リンク１５６の第１辺部１５６Ｆには、第１辺部１５６Ｆの延在方向に延びる係合長孔１５６Ｎが形成されている。この係合長孔１５６Ｎには、第１回動リンク１５５の第１辺部１５５Ｆ（詳細には、第１辺部１５５Ｆのうち第２辺部１５５Ｓから遠い側の端部）に突設された係合ピン１５５Ｐが係合している。そして、駆動モータ１５１（図３参照）からの動力を受けて第１回動リンク１５５が回動すると、図６から図７への変化に示されるように、第１辺部１５６Ｆは、回動軸部１５６Ｊから遠い側の端部が第１固定ベース１０１の左右方向中央側へ向かうように回動する。すると、第２回動リンク１５６の第２辺部１５６Ｓは、その第１辺部１５６Ｆから遠い側の端部が、上側へ向かうように回動する。
【００２７】
ここで、図５に示されるように、第２回動リンク１５６の第２辺部１５６Ｓにおける第１辺部１５６Ｆから遠い側の端部には、係合ピン１５６Ｐが突設されている。この係合ピン１５６Ｐは、第１可動役物１００に形成された係合長孔１１０Ｎと係合している。この係合長孔１１０Ｎは、第１可動役物１００の左側と右側とに対をなして配置され、各係合長孔１１０Ｎは、左右方向に長くなっている。そして、第２回動リンク１５６が回動すると、退避位置に配置された第１可動役物１００は、上方に押されて、第１演出位置（図６参照）へと移動する。
【００２８】
１−２．位置決め機構１６０
本実施形態の遊技機１０では、第１可動役物１００が、第１退避位置（図６参照）と第１演出位置（図７参照）との間の途中位置（図１１（Ｂ）参照）に位置決される。この位置決めは、図８に示される位置決め機構１６０によって行われる。位置決め機構１６０は、ストッパアーム１６１と、ストッパアーム１６１を駆動するアーム駆動機構１７０と、を有している。
【００２９】
図９（Ａ）に示されるように、ストッパアーム１６１は、回動軸部１６１Ｊと、回動軸部１６１Ｊから径方向の一方側に張り出したアームボディ１６２と、アームボディ１６３の張り出し方向の先端部に連設されて前側に膨出するアームヘッド１６３と、を有している。なお、回動軸部１６１Ｊは、前後方向に延びる回動軸心を有する。
【００３０】
アームボディ１６２は、前後方向に扁平であって、張り出し方向の中間部が回動軸部１６１を中心とする周方向の一方側に膨出した形状に形成されている。アームボディ１６２のうち該周方向の他方側に臨む部分には、受容凹部１６２Ａが形成されている。
【００３１】
アームヘッド１６３は、アームボディ１６２に対して前側に膨出している。また、アームヘッド１６３は、回動軸部１６１を中心とする周方向に長くなった形状に形成され、アームボディ１６２に対して該周方向の他方側に突出する末端突部１６４を有している。
【００３２】
図９（Ｂ）に示されるように、アーム駆動機構１７０は、ソレノイド１７１と、可動鉄芯１７２と、動力伝達部材１７３と、を含んでなる。ソレノイド１７１は、プル型になっていて、ソレノイド１７１が通電される（ＯＮにされる）と、可動鉄芯１７２がソレノイド１７１に吸引される。ここで、図８に示されるように、ソレノイド１７１は、ガイドレール１８０の側方に配置され、可動鉄芯１７２は、横方向に配置されている。ソレノイド１７１が通電されると、可動鉄芯１７２は、ガイドレール１８０から遠ざかる方向に移動する。
【００３３】
可動鉄芯１７２の一端部（詳細には、ガイドレール１８０に近い側の端部）には、フランジ１７２Ｆが形成され、このフランジ１７２Ｆとソレノイド１７１の間には、コイルバネ１７４が介装されている。そして、可動鉄芯１７２は、コイルバネ１７４によって、フランジ１７２Ｆがソレノイド１７１から遠ざかる方向に付勢されている。動力伝達部材１７３は、可動鉄芯１７２のフランジ１７２Ｆに取り付けられ、可動鉄芯１７２と一体になって移動する。
【００３４】
図９（Ａ）に示されるように、動力伝達部材１７３には、前側に突出する係合ピン１７３Ｐが設けられている。この係合ピン１７３Ｐは、ストッパアーム１６１のアームボディ１６２に設けられた係合孔１６２Ｋと係合している。そして、ソレノイド１７１が通電されて動力伝達部材１７３が移動すると、その動力がストッパアーム１６１に伝達され、ストッパアーム１６１は回動軸部１６１Ｊを中心にして、移動規制位置（図１０（Ａ）参照）と移動許容位置（図１１（Ａ）参照）との間を回動する。
【００３５】
、図１０（Ａ）に示されるように、ソレノイド１７１が非通電状態のとき、ストッパアーム１６１は、第１固定ベース１０１（図３参照）に備えられた位置決め支柱１０２によって移動規制位置に位置決めされる。移動規制位置に配置されたストッパアーム１６１において、アームボディ１６２は、回動軸部１６１Ｊから上方へ延びるように配置され、末端突部１６４は、ガイドレール１８０へ向かって突出する。なお、このとき、位置決め支柱１０２は、アームボディ１６２の受容凹部１６２Ａに受容され、位置決め支柱１０２と受容凹部１６２Ａの奥面（受容凹部１６２の開放端に臨む面）との当接により、ストッパアーム１６１が移動規制位置に位置決めされる。
【００３６】
ここで、図８及び図１０（Ａ）に示されるように、第１可動役物１００には、ガイドレール１８０の側方に配置されて、移動規制位置に配置されたストッパアーム１６１の末端突部１６４に上下方向（即ち、ガイドレール１８０の延在方向）で対向する移動当接部１１３が備えられている。移動当接部１１３は、移動ベース１１０の下端部から後側に突出している。移動当接部１１３の上側を向く面（第１演出位置側を向く面）は、ガイドレール１８０から離れるにつれて上側へ向かうように傾斜している。
【００３７】
ソレノイド１７１が通電状態になると、可動鉄芯１７２（図９（Ｂ）参照）がソレノイド１７１に吸引され、ストッパアーム１６１は、アームボディ１６２がガイドレール１８０から離れるように回動する。そして、ストッパアーム１６１が図１１（Ａ）に示される移動許容位置に配置されると、末端突部１６４が移動ベース１１０の移動当接部１１３と上下方向（ガイドレール１８０の延在方向）で対向しなくなり、移動当接部１１３の移動経路から外れる。
【００３８】
本実施形態の遊技機１０では、第１可動役物１００が第１退避位置から第１演出位置へ移動するときには、ソレノイド１７１に通電がなされなくても、ストッパアーム１６１は、移動ベース１１０に押されて移動規制位置（図１０（Ａ）参照）から移動許容位置（図１１（Ａ）参照）へと移動する。図１０及び図１１には、このときの移動ベース１１０とストッパアーム１６１の動きが示されている。図１０（Ａ）から図１０（Ｂ）への変化に示されるように、第１可動役物１００が第１退避位置から第１演出位置へと移動すると、移動ベース１１０の移動当接部１１３がストッパアーム１６１の末端突部１６４に下方から当接する。第１可動役物１００がさらに第１演出位置へ向かうように駆動されると、末端突部１６４は、移動当接部１１３によって上方に押される。ここで、末端突部１６４は、ストッパアーム１６１の回動軸部１６１Ｊよりも横方向でガイドレール１８０に近い側に配置されている。従って、移動当接部１１３に押されたストッパアーム１６１は、末端突部１６４がガイドレール１８０から離れるように回動する（即ち、正面視時計方向に回動する）。そして、末端突部１６４が移動当接部１１３よりも横方向でガイドレール１８０から遠ざかる（即ち、移動当接部１１３の移動経路から外れる）と、ストッパアーム１６１が移動許容位置に配置されて、第１可動役物１００の第１演出位置への移動が許容される（図１１（Ａ）参照）。
【００３９】
第１可動役物１００が第１演出位置から第１退避位置へ移動するときに、ソレノイド１７１に通電がなされていないと、移動ベース１１０の移動当接部１１３は、ストッパアーム１６１の末端突部１６４に上側から（第１演出位置側から）当接する。ここで、上述の如く、末端突部１６４は、ストッパアーム１６１の回動軸部１６１Ｊよりも横方向でガイドレール１８０に近い側に配置されているので、ストッパアーム１６１は、移動当接部１１３から、末端突部１６４をガイドレール１８０に近づける方向（正面視反時計方向）に回動させる力を受ける。即ち、移動当接部１１３は、ストッパアーム１６１を移動許容位置から遠ざかる方向に回そうとする。その結果、ストッパアーム１６１は、移動当接１１３と当接しても移動規制位置に保持され、第１可動役物１００は、図１１（Ｂ）に示される途中位置に位置決めされる。なお、ソレノイド１７１が通電状態になってストッパアーム１６１が移動許容位置に配置されると、第１可動役物１００は、途中位置から第１退避位置へ移動することが可能となる。
【００４０】
なお、図２に示されるように、第１可動役物１００は、第１退避位置に配置された状態では、遊技盤１１の後側に隠れて遊技者に視認困難となる。第１可動役物１００は、途中位置（図１１（Ｂ）参照）に配置されたときに、その全体が遊技盤１１の表示開口１１Ｈの内側に配置されて遊技者に視認可能となる。そして、第１可動役物１００は、第１演出位置（図７参照）に配置されたときに表示開口１１Ｈの中央部に前側から重ねられる。このように、本実施形態の遊技機１０では、第１退避位置に配置された状態で遊技盤１１に前側を覆われていた第１可動役物１００が、途中位置に配置されたときに露出するので、途中位置に配置された第１可動役物１００よる演出にインパクトを付与可能となる。
【００４１】
本実施形態の遊技機１０では、第１可動役物１００が単に第１退避位置（図６参照）と第１演出位置（図７参照）の間を移動するだけでなく、第１退避位置と第１演出位置の間の途中位置（図１１（Ｂ）参照）に位置決めすることが可能となるので、第１可動役物１００を用いた演出の趣向性向上が図られる。
【００４２】
また、ストッパアーム１６１は、通常は、移動規制位置側に付勢されて移動規制位置（図１０（Ａ））に位置決めされ、アーム駆動機構１７０により駆動されたときに移動許容位置（図１１（Ａ））に配置されるように構成されているので、アーム駆動機構１７０による駆動がない場合に、第１可動役物１００を途中位置（図１１（Ｂ）参照）に配置し、アーム駆動機構１７０による駆動がある場合に、第１可動役物１００を第１退避位置に配置することが可能となる。しかも、ストッパアーム１６１は、第１可動役物１００が第１退避位置から第１演出位置へと向かうときには、アーム駆動機構１７０により駆動されなくても第１可動役物１００に押されて移動許容位置に配置されるので、第１可動役物１００が第１退避位置から第１演出位置へ移動するときに、アーム駆動機構１７０を作動させる必要がなくなる。
【００４３】
さらに、移動当接部１１３の上面（即ち、第１演出位置側を向く面）は、ガイドレール１８０から遠ざかるにつれて上側へ向かうように傾斜しているので、ストッパアーム１６１がガイドレール１８０から離れるように回動する（即ち、移動許容位置へと回動する）際にも、移動当接部１１３を末端突部１６４に当接させ易くなる。
【００４４】
また、本実施形態では、第１可動役物１００の移動当接部１１３とストッパアーム１６１が共にガイドレール１８０の横に配置されるので、省スペース化が図られる。
【００４５】
１−３．第１可動役物１００
図４及び図５に示されるように、第１可動役物１００は、ガイドレール１８０に支持されて該ガイドレール１８０に沿って移動する移動ベース１１０と、移動ベース１１０に回転可能に支持された回転演出体１１５と、を有している。なお、昇降機構１５０の第２回動リンク１５６と係合する係合長孔１１０Ｎは、移動ベース１１０に形成されている。また第１可動役物１００における第１退避位置から途中位置までの移動距離は、回転演出体１１５の回転半径よりも大きくなっていて、第１可動役物１００が途中位置に配置されているときに回転演出体１１５は回転可能となっている。
【００４６】
図１２に示されるように、移動ベース１１０は、前側に開口した機構ケース１１１と、機構ケース１１１の開口を閉塞する蓋部１１２と、を有する。機構ケース１１１には、回転演出体１１５を駆動するための回転駆動機構１２０が収容されている。蓋部１１２には、回転演出体１１５の中心部に連結する回転シャフト１１５Ｓが挿通されている。なお、蓋部１１２には、図示しない電飾基板が備えられていて、蓋部１１２の前面が発光するようになっている。
【００４７】
図１３及び図１４に示されるように、回転駆動機構１２０は、駆動ギア１２２と、中継ギア１２３と、シャフト駆動ギア１２４と、を有している。駆動ギア１２２は、モータ１２１の回転出力軸に取り付けられている。駆動ギア１２２が回転すると、中継ギア１２３を介してシャフト駆動ギア１２４が回転する。シャフト駆動ギア１２４は、回転シャフト１１５Ｓに固定されていて、シャフト駆動ギア１２４が回転すると、そのシャフト駆動ギア１２４と一体に回転演出体１１５が回転する。
【００４８】
図１２〜図１４に示されるように、回転シャフト１１５Ｓには、第１回転盤１２５が一体回転可能に取り付けられている。第１回転盤１２５には、周方向の１箇所から径方向外側に張り出した張出片１２５Ｈが設けられている。張り出し片１２５Ｈは、回転演出体１１５が初期位置に配置されたとき、フォトセンサ１２６に検出される。なお、図１２〜図１４には、初期位置に配置された回転演出体１１５が示されている。
【００４９】
図３〜５には、初期位置に配置された回転演出体１１５が示されている。これらの図面に示されるように、移動ベース１１０は、横長に形成されている。また、初期位置に配置された回転演出体１１５は、横長になって、移動ベース１１０の全体を前側から覆う。具体的には、移動ベース１１０と初期位置に配置された回転演出体１１５は共に、正面視略楕円形状になっていて、回転演出体１１５の楕円は移動ベース１１０の楕円より若干大きくなっている（図１３参照）。
【００５０】
図３に示されるように、第１固定ベース１０１には、第１可動役物１００が第１退避位置に配置されているときに、初期位置に配置された回転演出体１１５の回転を規制する回転ストッパ１０５が設けられている。回転ストッパ１０５は、第１固定ベース１０１に突設されて、第１退避位置に配置された移動ベース１１０を横方向に挟む１対の支柱１０５Ａ，１０５Ａと、各支柱１０５Ａに回転自在に取り付けられたストッパローラ１０５Ｂと、を含んでなる。１対の支柱１０５Ａ，１０５Ａの突出高さは、移動ベース１１０と回転演出体１１５の両方を挟む突出高さに形成されてもよいし、移動ベース１１０のみを挟む突出高さに形成されてもよい。
【００５１】
１−４．回転規制機構１３０
図１３に示されるように、本実施形態の遊技機１０は、回転演出体１１５を初期位置に保持して、初期位置に配置された回転演出体１１５の回転方向のふらつきやブレを規制するための回転規制機構１３０を有している。
【００５２】
回転規制機構１３０は、移動ベース１１０の内部に配置されて、回転シャフト１１５と一体に回転する第２回転盤１２７の回転を規制する。回転規制機構１３０は、第２回転盤１２７の径方向外側に配置された押圧部材１３１と、押圧部材１３１を第２回転盤１２７に向けて付勢する弾性部材１３４と、を有している。なお、第２回転盤１２７は、第１回転盤１２５とは別に回転シャフト１１５Ｓに固定されている。
【００５３】
押圧部材１３１は、直動ベース１３２と、押圧ローラ１３５と、からなる。直動ベース１３２は、移動ベース１１０（詳細には、蓋部１１２）に形成された直動ガイド１３３に支持されて、第２回転盤１２７の径方向に直動する。押圧ローラ１３５は、直動ベース１３２のうち第２回転盤１２７に臨む端部に回転自在に取り付けられて、第２回転盤１２７に押し付けられている。
【００５４】
詳細には、図１５及び図１６に示されるように、直動ベース１３２は、ブロック部１３２Ａと、ブロック部１３２Ａから第２回転盤１２７の中心に向かって張り出した突片部１３２Ｂと、を有し、ブロック部１３２Ａに形成された長孔に直動ガイド１３３としての突部が係合している。押圧ローラ１３５は、突片部１３２Ｂから回転シャフト１１５Ｓと平行に延びる支軸１３２Ｃに支持されて、支軸１３２Ｃを中心に回転する。
【００５５】
図１５及び図１６に示されるように、弾性部材１３４は、コイルバネによって構成されている。弾性部材１３４の一端部は、移動ベース１１０（詳細には、蓋部１１２）に固定され、弾性部材１３４の他端部は、直動ベース１３２のブロック部１３２Ａに設けられた係止フック１３２Ｋに係止している。これにより、直動ベース１３２が第２回転盤１２７の中心に向かって付勢される。
【００５６】
回転演出体１１５（図１３参照）が初期位置に配置された状態で、押圧ローラ１３５は、第２回転盤１２７の外周面に形成された凹部１２７Ａに係合する。この凹部１２７Ａは、第２回転盤１２７の周方向の１箇所のみに形成されていて、押圧ローラ１３５と凹部１２７Ａの係合によって回転演出体１１５は初期位置からの回転を規制される。本実施形態では、凹部１２７Ａは、第２回転盤１２７の中心軸と平行に延びる丸溝によって形成されている。
【００５７】
本実施形態の遊技機１０では、回転演出体１１５が初期位置に配置された状態で、回転演出体１１５を駆動するためのモータ１２１（図１２〜１４参照）がオフになっても（即ち、モータ１２１がトルクフリーになっても）、押圧部材１３１が第２回転盤１２７に押し付けられることによって、回転演出体１１５の回転方向のふらつきやブレが抑制される。しかも、押圧部材１３１は、第２回転盤１２７の周方向の１箇所に形成された凹部１２７Ａと係合するので、回転演出体１１５を初期位置に保持し易くなる。
【００５８】
また、凹部１２７Ａは、第２回転盤１２７の中心軸と平行な丸溝で形成されていて、この凹部１２７Ａには、押圧部材１３１の押圧ローラ１３５が係合するので、押圧部材１３１と第２回転盤１２７を容易に係合させることが可能となる。しかも、押圧ローラ１３５は、直動ベース１３２に回転自在に取り付けられていることで、第２回転盤１２７が回転するときに、第２回転盤１２７の外周面と当接する押圧ローラ１３５を回転させることが可能となる。これにより、回転演出体１１５を回転駆動するときに、押圧部材１３１が回転演出体１１５の回転抵抗となることが抑制される。
【００５９】
［２］第２可動役物装置２００Ｓ
図３に示されるように、第２可動役物装置２００Ｓは、機構枠１７の左辺部と右辺部のそれぞれに固定されている。左右２つの第２可動役物装置２００Ｓは、互いに左右対称な構造になっている。
【００６０】
図１７（Ａ）及び図１７（Ｂ）に示されるように、第２可動役物装置２００Ｓは、第２固定ベース２０１と、第２固定ベース２０１に対して移動可能な第２可動役物２００と、を備えている。第２固定ベース２０１は、縦長矩形状をなして、機構枠１７の主盤１７Ａ（図３参照）の左辺部又は右辺部に前側から重ねて固定されている。第２可動役物２００は、第２固定ベース１０１に組み付けられた役物駆動機構２１０によって駆動されて、第２固定ベース２０１（即ち、機構枠１７の左辺部又は右辺部）に前側から重なる第２退避位置（図２０（Ａ）参照）と、表示開口１１Ｈ（図２参照）に重ねられる第２演出位置（図２０（Ｂ）参照）と、に配置される。
【００６１】
２−１．役物駆動機構２１０
図１８（Ａ）及び図１８（Ｂ）に示されるように、役物駆動機構２１０は、駆動源としてのモータ２１１と、モータ２１１により駆動される第１アーム２３０及び第２アーム２４０と、を備えている。第１アーム２３０と第２アーム２４０は、第２固定ベース１０１の前側から重ねられるカバープレート２０２に回動可能に支持されている。詳細には、第１アーム２３０は、カバープレート２０２の後側に配置され、第２アーム２４０は、カバープレート２０２の前側に配置されている。
【００６２】
図１８（Ｂ）に示されるように、第１アーム２３０は、前後方向から見て、直線状に延びる帯状に形成されている。第１アーム２３０の一端部には、前後方向に延びる回動軸を有してカバープレート２０２の下端部に支持された回動軸部２３０Ｊが形成されている。また、第１アーム２３０の一端部には、回動軸部２３０Ｊを中心とする扇形状の張出部２３０Ｈが備えられ、その張出部２３０Ｈの外周面に扇形ギア２３１が形成されている。
【００６３】
第１アーム２３０の他端部は、第２可動役物２００に回転自在に連結されている。具体的には、図１８（Ａ）に示されるように、第２可動役物２００は、装飾体２００Ａから後側に後方軸部２００Ｊが突出した構造になっていて、その後方軸部２００Ｊが、第１アーム２３０の他端部に形成された支持軸部２３２Ｊに回転自在に取り付けられている。なお、後方軸部２００Ｊと支持軸部２３２Ｊは同軸に配置されている。
【００６４】
第２可動役物２００が第２退避位置に配置された状態では、図１７（Ａ）及び図１８（Ｂ）に示されるように、第１アーム２３０は、回動軸部２３０Ｊから上下方向に沿って上側に延びるように配置され、その大部分が第２可動役物２００とカバープレート２０２の後側に隠れる。
【００６５】
なお、図１８（Ａ）に示されるように、第１アーム２３０には、回動軸部２３０Ｊから離れた端部を前側に配置する屈曲部２３０Ｋが設けられている。第２可動役物２００が第２退避位置に配置された状態では、第１アーム２３０のうち屈曲部２３０Ｋよりも回動軸部２３０Ｊから離れる部分は、カバープレート２０２に形成されて側方に開放した切欠部２０２Ｋに受容される。
【００６６】
図１７（Ａ）及び図１８（Ａ）に示されるように、第２アーム２４０は、直線状に延びる帯板の両端を互いに反対方向に折り曲げてなるＳ字形状に形成されている。第２アーム２４０のＳ字の一端部には、前後方向に延びる回動軸を有してカバープレート２０２の下端部に支持された回動軸部２４０Ｊが形成されている。なお、第１アーム２３０の回動軸部２３０Ｊと第２アームの回動軸部２４０Ｊは、横並びに配置されている。
【００６７】
第２アーム２４０の他端部は、第２可動役物２００に回転自在に連結されている。具体的には、図１８（Ａ）に示されるように、第２可動役物２００は、後方軸部２００Ｊのから側方に張り出した突片２００Ｔを有し、その突片２００Ｔに第２アーム２４０の他端部が回転自在に取り付けられている。このように、本実施形態では、第１アーム２３０の回動軸部２３０Ｊから離れた端部と第２アーム２４０の回動軸部２４０Ｊから離れた端部とが、第２可動役物２００の異なる部位に回転自在に連結されている。
【００６８】
役物駆動機構２１０は、モータ２１１から第１アーム２３０及び第２アーム２４０への動力伝達手段として、図１８（Ａ）及び図１８（Ｂ）に示される、駆動ギア２１２、中継ギア２１３、スライド駆動ギア２１４、スライド２１５、及びピニオン２１７を有している。
【００６９】
駆動ギア２１２は、モータ２１１の出力回転軸に取り付けられている。駆動ギア２１２が回転すると、中継ギア２１３を介してスライド駆動ギア２１４が回転する。
【００７０】
スライド駆動ギア２１４には、径方向外側に張り出す突片２１４Ｔが備えられている。突片２１４Ｔには、図示しない係合ピンが突設されている。
【００７１】
スライド２１５は、固定ベース２０１に支持されて、上下方向に直動可能となっている。そして、スライド駆動ギア２１４が回転すると、スライド２１５が上下方向に駆動される。具体的には、図１８（Ｂ）に示されるように、スライド２１５は、縦長の帯状に形成されたスライドバー２１５Ｂと、スライドバー２１５Ｂの上端部に連設された横長形状のヘッド部２１５Ｈと、からなる。スライドバー２１５Ｂは、スライドバー２１５Ｂに備えられた係合ピン２１５Ｐが固定ベース２０１に形成された縦長のガイド孔２０１Ｎ（図１７（Ｂ）参照）と係合することにより、固定ベース２０１に直動可能に支持されている。また、ヘッド部２１５Ｈは、スライド駆動ギア２１４の突片２１４Ｔに重ねられ、突片２１４Ｔに設けられた係合ピン（図示せず）と係合する長孔２１５Ｎを有している。そして、この係合ピンと長孔２１５Ｎの係合により、スライド駆動ギア２１４の回転がスライド２１５の直動に変換される。
【００７２】
スライドバー２１５Ｂの側面には、ラック２１６が形成されていて、このラック２１６にピニオン２１７が噛合している。ピニオン２１７は、第１アーム２３０の扇形ギア２３１にも噛合している。そして、スライド２１５が上下方向に駆動されると、その動力がピニオン２１７を介して第１アーム２３０に伝達され、第１アーム２３０が回動軸部２３０Ｊを中心に回動する。
【００７３】
第２アーム２４０は、第１アーム２３０に連動して、回動軸部２４０Ｊを中心に回動する。図１９（Ａ）及び図１９（Ｂ）には、第１アーム２３０と第２アーム２４０が回動する様子が示されている。第１アーム２３０が回動軸部２３０Ｊを中心に回動すると、第２可動役物２００も回動軸部２３０Ｊを中心に回動する。このとき、第２可動役物２００の後方軸部２００Ｊと第２アーム２４０の回動軸部２４０Ｊの間の距離が変化する。すると、第２アーム２４０が第２可動役物２００の突片２００Ｔを第１アーム２３０の支持軸部２３２（図１８（Ａ）参照）を中心に回転させることとなり、第２可動役物２００が支持軸部２３２を中心にして回転する。その結果、第１アーム２３０に対する第２可動役物２００の姿勢が変化する（図１９（Ａ）では、第２可動役物２００は第１アーム２３０の長手方向に沿って配置されているが、図１９（Ｂ）では、第２可動役物２００は第１アーム２３０の長手方向と交差するように配置されている。）。
【００７４】
２−２．第１可動役物１００と第２可動役物２００の合体
第２可動役物２００は、第１可動役物１００と合体可能に構成されている。図２０（Ａ）及び図２０（Ｂ）には、合体する前後の第１可動役物１００と第２可動役物２００が示されている。
【００７５】
第２可動役物２００は、図２０（Ａ）に示される第２退避位置から第１アーム２３０の回動軸部２３０Ｊを中心に回動して、図２０（Ｂ）に示される第２演出位置に配置される。図２０（Ｂ）に示されるように、第２演出位置に配置された第２可動役物２００は、途中位置に配置された第１可動役物１００と合体可能に形成されている。具体的には、第１可動役物１００が途中位置に配置された状態で第２可動役物２００が第２演出位置に配置されると、第２可動役物２００の一部が第１可動役物１００の上端部に前側から重ねられる。なお、第２可動役物２００は、第２演出位置へ配置される際、第１可動役物１００に上側（第１演出位置側）から接近する。
【００７６】
本実施形態の遊技機１０では、途中位置に配置された第１可動役物１００に第２可動役物２００が合体することで、第１可動役物１００を用いた演出の趣向性向上が図られる。なお、本実施形態の例では、第１可動役物１００は、横長に変形したボールを象っていて、第２可動役物２００は、人の指を象っているので、第１可動役物１００に第２可動役物２００が合体すると、ボールに指がグリップする様子を遊技者に見せることが可能となる。
【００７７】
しかも、第２可動役物２００は、途中位置に配置された第１可動役物１００に第１演出位置側（即ち、上側）から近づいて合体するように構成されているので、第１演出位置から途中位置へ移動する第１可動役物１００に第２可動役物２００を合体させたり、第１可動役物１００を途中位置から第１演出位置へ移動させるときに第２可動役物２００との合体を解除したりすることが可能となる。また、第２可動役物２００と合体した状態の第１可動役物１００を合体状態のまま途中位置から第１演出位置へ移動させることも可能となる。
【００７８】
［上記実施形態から抽出される技術的な特徴群について］
以下、上述した実施形態から抽出される特徴について、必要に応じて効果等を示しつつ説明する。なお、以下では、理解の容易のため、上記実施形態において対応する構成を括弧書き等で適宜示すが、この括弧書き等で示した具体的構成に限定されるものではない。
【００７９】
＜特徴Ａ群＞
以下の特徴Ａ群は、遊技機に関し、「従来の遊技機として、特定の演出条件が成立したときに、待機位置に配置されていた移動部材が演出位置に移動するものが知られている（例えば、特許文献Ａ（特開２００９−４５２７１号公報（段落［００１２］〜［００１３］、図１，２）参照）。」という背景技術について、「従来の遊技機において、移動部材を用いた演出の趣向性向上が求められていた。」という課題をもってなされたものである。
【００８０】
［特徴Ａ１］
第１位置（第１退避位置）と第２位置（第１演出位置）との間を移動する移動部材（第１可動役物１００、詳細には、移動ベース１１０）を有する遊技機（遊技機１０）において、
前記移動部材の移動範囲（移動当接部１１３の移動経路）に進入して前記移動部材の移動を規制する移動規制位置と、前記移動部材の移動範囲から外れて前記移動部材の移動を許容する移動許容位置と、に配置される移動規制部材（ストッパアーム１６１）を有し、
前記移動規制部材は、前記移動部材が前記第１位置から前記第２位置へ向かうときには、前記移動許容位置に配置される一方、前記移動部材が前記第２位置から前記第１位置へ向かうときに、前記移動規制位置に配置されて、前記移動部材が前記第１位置と前記第２位置の間にある途中位置から前記第１位置へ移動することを規制する、遊技機。
【００８１】
本特徴に示す構成では、移動部材が単に第１位置と第２位置の間を移動するだけでなく、第１位置と第２位置の間の途中位置に位置決めすることが可能となるので、移動部材を用いた演出の趣向性向上が図られる。
【００８２】
［特徴Ａ２］
前記移動規制部材は、前記移動規制位置側に付勢され、
前記移動規制部材を前記移動規制位置に位置決めする位置決め手段（位置決め支柱１０２）と、
前記移動規制位置に配置されている前記移動規制部材を駆動して前記移動許容位置に配置する駆動手段（アーム駆動機構１７０）と、を有する、特徴Ａ１に記載の遊技機。
【００８３】
本特徴に示す構成では、駆動手段の駆動がない場合に移動部材を途中位置に配置し、駆動手段の駆動がある場合に移動部材を第１位置に配置することが可能となる。
【００８４】
［特徴Ａ３］
前記移動規制部材は、前記移動部材が前記第１位置から前記第２位置へと向かうときには、前記駆動手段により駆動されなくても前記移動部材に押されて前記移動許容位置に配置される一方、前記移動部材が前記第２位置から前記第１位置へ向かうときには、前記駆動手段により駆動されなければ前記移動許容位置に配置されない、特徴Ａ２に記載の遊技機。
【００８５】
［特徴Ａ４］
前記移動部材には、前記移動規制部材と当接可能な移動当接部（移動当接部１１３）が設けられ、
前記移動規制部材は、前記移動当接部の移動経路と交差する方向に移動するように構成され、前記移動許容位置から前記移動規制位置へ移動するときに、前記移動当接部の移動経路を幅方向に挟む２つ領域のうち一方の領域から前記移動当接部の移動経路に突入するように構成され、
前記移動当接部は、前記第１位置から前記第２位置へ移動するときに前記移動規制部材と当接した場合には、該移動規制部材を前記一方の領域に向かって押す一方、前記第２位置から前記第１位置へ移動するときに前記移動規制部材と当接した場合には、該移動規制部材を前記移動当接部の移動経路を幅方向に挟む２つの領域のうち他方の領域に向かって押すように構成されている、特徴Ａ３に記載の遊技機。
【００８６】
特徴Ａ３，Ａ４に示す構成では、移動部材が第１位置から第２位置へ移動するときに移動規制部材を自動的に移動許容位置へ配置可能となる。また、移動部材が第２位置から第１位置へ移動するときには、移動規制部材が駆動手段により駆動されることで、移動部材を途中位置に位置決め可能となる。
【００８７】
［特徴Ａ５］
前記移動部材を前記第１位置と前記第２位置との間で移動可能に支持するガイドレール（ガイドレール１８０）を有し、
前記移動当接部及び前記移動規制部材は、前記ガイドレールの幅方向で前記ガイドレールと並んで配置され、
前記移動規制部材には、前記移動規制部材が前記移動規制位置に配置されたときに前記ガイドレールの延在方向で前記移動当接部と対向し、前記移動規制部材が前記移動許容位置へ向かうときに前記移動当接部に押されて前記ガイドレールから離れるように移動する被当接部（末端突部１６４）が設けられている、特徴Ａ４に記載の遊技機。
【００８８】
本特徴に示す構成では、移動部材の移動当接部及び移動規制部材がガイドレールの幅方向でガイドレールに並んで配置されるので、省スペース化が図られる。なお、ガイドレールは、直線状に形成されてもよいし、曲線状に形成されてもよい。前者の場合、ガイドレールは、伸縮レールによって構成されてもよい。
【００８９】
［特徴Ａ６］
前記移動規制部材は、前記ガイドレールと交差する方向に沿って延びる回動軸を有する回動アーム（アームボディ１６２とアームヘッド１６３）と、前記回動アームの末端部に突設された末端突部（末端突部１６４）と、によって構成され、
前記回動アームは、前記移動規制部材が前記移動規制位置に配置されたときに前記ガイドレールに沿って配置され、
前記末端突部は、前記回動アームから前記ガイドレールへ近づくように突出して前記被当接部を構成し、
前記移動当接部の前記２位置側を向く面（移動当接部１１３の上面）は、前記ガイドレールから遠ざかるにつれて前記第２位置へ向かうように傾斜している、特徴Ａ５に記載の遊技機。
【００９０】
本特徴に示す構成では、回動アームがガイドレールから離れるように回動する際に移動当接部を被当接部に当接させ易くなり、移動部材が第１位置から第２位置へ移動する際に移動規制部材を移動許容位置へ配置し易くなる。
【００９１】
［特徴Ａ７］
前記第１位置に配置された前記移動部材を覆って隠すカバー部材（遊技盤１１）を有し、
前記移動部材は、前記途中位置よりも前記第２位置側に配置された状態で前記カバー部材の外側に露出する、特徴Ａ１乃至Ａ６のうち何れか１に記載の遊技機。
【００９２】
本特徴に示す構成では、第１位置に配置された状態でカバー部材に覆われていた移動部材が、途中位置に配置されると、カバー部材の外側に露出するので、途中位置に配置された移動部材による演出にインパクトを付与可能となる。
【００９３】
［特徴Ａ８］
待機位置（第２退避位置）と演出位置（第２演出位置）との間を移動可能であって、前記演出位置に配置されたときに、前記途中位置に配置された前記移動部材と合体可能な演出部材（第２可動役物２００）を有する、特徴Ａ１乃至Ａ７のうち何れか１に記載の遊技機。
【００９４】
本特徴に示す構成では、途中位置に配置された移動部材に演出部材が合体することで、移動部材を用いた演出の趣向性向上が図られる。
【００９５】
［特徴Ａ９］
前記演出部材は、前記待機位置から前記演出位置へ移動するときに前記途中位置に配置された前記移動部材に前記第２位置側から近づいて合体するように構成された、特徴Ａ８に記載の遊技機。
【００９６】
本特徴に示す構成によれば、第２位置から途中位置へ移動する移動部材に演出部材を合体させたり、移動部材を途中位置から第２位置へ移動させるときに演出部材との合体を解除したりすることが可能となる。また、演出部材と合体した状態の移動部材を合体状態のまま途中位置から第２位置へ移動させることも可能となる。
【００９７】
特徴Ａ群には、以下の実施形態が含まれてもよい。
【００９８】
（ａ１）図２１（Ａ）及び図２１（Ｂ）に示されるように、位置決め機構１６０は、ガイドレール１８０と直交する方向に沿って直動するストッパスライド１６７を備えてもよい。この場合、移動当接部１１３の上面は、ガイドレール１８０へ近づくにつれて上側へ近づくように傾斜することが好ましい。
【００９９】
（ａ２）上記実施形態では、ストッパアーム１６１が移動規制位置側に付勢される構成であったが、付勢されない構成であってもよい。具体的には、ストッパアーム１６１を正逆両方向に回転可能なモータにより駆動される構成とすることが挙げられる。この場合であっても、第１可動役物１００が第１退避位置から第１演出位置へ移動するときにモータがオフにされてトルクフリーな状態であれば、ストッパアーム１６１は、移動当接部１１３に押されて移動規制位置から移動許容位置へ移動することができる。
【０１００】
（ａ３）ストッパアーム１６１は、移動当接部１１３からの力を受けても移動規制位置から移動許容位置へ移動しない構成にされてもよい。この場合、ストッパアーム１６１は、モータ１２１からの動力を受けた場合にのみ、移動規制位置から移動許容位置へ移動する。
【０１０１】
（ａ４）移動当接部１１３の上面（即ち、移動当接部１１３において第１演出位置側を向く面）は、水平であってもよいし、ガイドレール１８０へ近づくにつれて上側へ近づくように傾斜してもよい。
【０１０２】
（ａ５）上記実施形態では、ガイドレール１８０は、伸縮式のスライドレールで構成されていたが、伸縮不能なスライドレールで構成されてもよい。また、ガイドレール１８０は、直線状に形成されてもよいし、円弧状に形成されてもよいし、
【０１０３】
（ａ６）第１可動役物１００は、第１退避位置から第１演出位置までの全区間において遊技者に視認可能に構成されてもよい。このような構成としては、全区間で第１可動役物１００が遊技盤１１に覆われない構成や、遊技盤１１のうち第１可動役物１００の前側に配置される部分が透明又は半透明である構成が挙げられる。
【０１０４】
（ａ７）第２可動役物装置２００Ｓを備えない構成としてもよい。また、第２可動役物装置２００Ｓを備えても、第２可動役物２００が途中位置の第１可動役物１００と合体しない構成としてもよい。即ち、第２演出位置に配置された第２可動役物２００は、途中位置に配置された第１可動役物１００から遠く離れて配置されてもよい。
【０１０５】
なお、特徴Ａ群に示す構成に、次述される特徴Ｂ群の構成が組み合わされてもよい。この場合、特徴Ｂ群の支持ベースを特徴Ａ群の移動部材とし、該支持ベースに特徴Ｂ群の回転演出体、モータ及び回転規制部材が搭載されればよい。
【０１０６】
＜特徴Ｂ群＞
以下の特徴Ｂ群は、遊技機に関し、「従来の遊技機として、支持ベースに回転可能に支持された回転演出体を有するものが知られている（例えば、特許文献Ｂ（特開２０１７−１６９７４６号（段落［００２４］〜［００２９］）図３，７，８）参照）。」という背景技術について、「従来の遊技機において、回転演出体の回転が停止しているときのふらつき防止が求められている。」という課題をもってなされたものである。
【０１０７】
［特徴Ｂ１］
支持ベース（移動ベース１１０）と、
前記支持ベースに回転可能に支持された回転演出体（回転演出体１１５）と、
前記回転演出体を駆動するモータ（モータ１２１）と、を有する遊技機（遊技機１０）において、
前記回転演出体が所定の回転位置（図１３に示される初期位置）に配置され、且つ前記モータがオフであるときに、前記回転演出体の回転を規制する回転規制部材（押圧部材１３１）を有する、遊技機。
【０１０８】
本特徴に示す構成では、所定の回転位置に配置された回転演出体の回転方向のふらつきが抑制される。なお、「モータがオフであるとき」とは、モータトルクがフリーになっているときを意味し、このとき、回転演出体は、外力によって自由回転可能な状態となっている。
【０１０９】
［特徴Ｂ２］
前記回転規制部材は、前記回転演出体が前記所定の回転位置に配置されたときに、前記回転演出体と一体に回転する回転体（第２回転盤１２７）の周方向の１箇所に設けられた被係合部（凹部１２７Ａ）と係合する、特徴Ｂ１に記載の遊技機。
【０１１０】
［特徴Ｂ３］
前記回転規制部材は、前記回転体の径方向外側に配置されて前記回転体の中心に向かって付勢され、前記回転体の外周面に形成された前記被係合部としての凹部（凹部１２７Ａ）と凹凸係合する、特徴Ｂ２に記載の遊技機。
【０１１１】
特徴Ｂ２，Ｂ３に示す構成では、回転規制部材と回転体の係合によって回転演出体を所定の回転位置に保持し易くなる。
【０１１２】
特徴Ｂ３において、回転規制部材は、弾性部材（例えば、バネやゴム）や磁石などの付勢手段によって付勢されてもよいし、重力によって付勢されてもよい。また、回転規制部材は、凹部と凹凸係合しさえすれば、凹部の奥面に押し付けられても押し付けられなくても何れでもよい。
【０１１３】
なお、回転体は、回転演出体と同じ回転速度（単位時間当たりの回転数）で回転するものであればよいが、回転演出体に連動して回転するものであってもよい。
【０１１４】
［特徴Ｂ４］
前記凹部は、前記回転体の軸方向に延在する丸溝で構成され、
前記回転規制部材は、前記回転体の中心側へ向かって膨出して、前記丸溝と凹凸係合する円形突部（押圧ローラ１３５）を有している、特徴Ｂ３に記載の遊技機。
【０１１５】
本特徴に示す構成では、回転規制部材と回転体を容易に係合させることが可能となる。また、回転規制部材と回転体の係合状態が解除され易くなる。なお、丸溝は、回転体の軸方向全体に形成されてもよいし、軸方向の一部に形成されてもよい。
【０１１６】
［特徴Ｂ５］
前記回転規制部材は、
前記回転体の径方向に直動する直動ベース（直動ベース１３２）と、
前記直動ベースに回転自在に取り付けられ、前記直動ベースに対して前記回転体の中心側にはみ出るように配置されて前記凹部と凹凸係合する回転部（押圧ローラ１１５）と、を有する、特徴Ｂ４に記載の遊技機。
【０１１７】
本特徴に示す構成では、回転体が回転するときに、回転体の外周面と当接する回転部が回転するので、回転規制部材が回転体の回転抵抗となることが抑制される。
【０１１８】
［特徴Ｂ６］
前記支持ベースは、第１位置と第２位置との間を移動可能に構成され、
前記支持ベースが前記第１位置に配置され、且つ前記回転演出体が前記所定の回転位置に配置された状態で、前記回転演出体と当接して該回転演出体の正逆両方向の回転を規制する１対の回転ストッパ（回転ストッパ１０５）と、を有する、特徴Ｂ１乃至Ｂ５のうち何れか１に記載の遊技機。
【０１１９】
［特徴Ｂ７］
前記回転演出体は、楕円状に形成され、
前記１対の回転ストッパは、
前記支持ベースの移動方向で前記回転演出体に対して前記第２位置と反対側に配置され、前記所定の回転位置に配置された前記回転演出体の長軸方向に沿って並べられた１対の支持部（支柱１０５Ａ）と、
前記１対の支持部に回転自在に支持されて、前記移動ベースが前記第１位置に配置された状態で前記所定の回転位置に配置された前記回転演出体をその長軸方向に沿って挟む１対のローラ（ストッパローラ１０５Ｂ）と、を有する、特徴Ｂ６に記載の遊技機。
【０１２０】
特徴Ｂ６，Ｂ７に示す構成では、移動ベースが第１位置に配置されたときに、１対の回転ストッパによって所定の回転位置に配置された回転演出体の回転を規制することができる。
【０１２１】
［特徴Ｂ８］
第１位置（第１退避位置）と第２位置（第１演出位置）との間を移動可能な移動ベース（移動ベース１１０）と、
前記移動ベースに回転可能に支持された回転演出体（回転演出体１１５）と、
前記回転演出体を駆動するモータ（モータ１２１）と、を有する遊技機（遊技機１０）において、
前記移動ベースが前記第１位置に配置され、且つ前記回転演出体が所定の回転位置（図１３に示される初期位置）に配置された状態で、前記回転演出体と当接して該回転演出体の正逆両方向の回転を規制する１対の回転ストッパ（回転ストッパ１０５）と、を有する遊技機。
【０１２２】
本特徴に示す構成では、移動ベースが第１位置に配置されたときに、所定の回転位置に配置された回転演出体の回転を規制することができる。なお、「モータがオフであるとき」とは、モータトルクがフリーになっているときを意味し、このとき、回転演出体は、外力によって自由回転可能な状態となっている。
【０１２３】
特徴Ｂ群には、以下の実施形態が含まれてもよい。
【０１２４】
（ｂ１）上記実施形態では、回転演出体１１５を支持する支持ベースが、機構枠１７に対して移動可能な構成であったが、機構枠１７に対して固定される構成であってもよい。
【０１２５】
（ｂ２）上記実施形態において、凹部１２７Ａが、Ｕ溝、Ｖ溝又は四角溝に形成されてもよい。
【０１２６】
（ｂ３）上記実施形態では、回転規制機構１３０は、回転演出体１１５が周方向の一位置（図１２〜１４に示される初期位置）からの回転を規制するように形成されていたが、周方向の複数箇所（例えば、初期位置と、初期位置から９０度、１８０度、２７０度離れた３位置との合計４箇所）からの回転を規制するように形成されてもよい。このような構成は、第２回転盤１２７に凹部１２７Ａを複数形成することで達成できる。
【０１２７】
（ｂ４）押圧部材１３１は、直動ベース１３２のみで構成されてもよい。この場合、直動ベース１３２の先端部（第２回転盤１２７に臨む端部）は、例えば、図２２（Ａ）及び図２２（Ｂ）に示されるように、第２回転盤１２７へ近づくにつれて幅狭となるテーパ状（例えば、台形状、三角形状）であってもよいし、図２２（Ｃ）に示されるように、第２回転盤１２７に向かって膨出する半円状に形成されてもよい。なお、図２２（Ａ）〜図２２（Ｃ）において、第２回転盤１２７の凹部１２７Ａは、直動ベース１３２の先端部と同じ形状に形成されることが好ましい。
【０１２８】
（ｂ５）特徴Ｂ８に含まれる構成として、回転規制機構１３０を備えずに、１対の回転ストッパ１０５，１０５のみを備える構成としてもよい。
【０１２９】
なお、特徴Ｂ８に示す構成に、特徴Ｂ１〜Ｂ７に示す構成が組み合わされてもよい。この場合、特徴Ｂ１〜Ｂ７の支持ベースを特徴Ｂ８の移動ベースとすればよい。また、特徴Ｂ群に示す構成に、上述の特徴Ａ群の構成が組み合わされてもよい。この場合、特徴Ａ群の移動部材を特徴Ｂ１〜Ｂ７の支持ベース又は特徴Ｂ８の移動ベースとして、該移動部材に回転演出体が支持される構成とすればよい。
【符号の説明】
【０１３０】
１０    遊技機
１１    遊技盤
１７    機構枠
１００    第１可動役物
１０５    回転ストッパ
１１０    移動ベース
１１５    回転演出体
１２０    回転駆動機構
１２１    モータ
１３０    回転規制機構
１３１    押圧部材
１５０    昇降機構
１６０    位置決め機構
１６１    ストッパアーム
１８０    ガイドレール
２００    第２可動役物
２１０    役物駆動機構
【図１】
2020000502.tif 000003
【図２】
2020000502.tif 000004
【図３】
2020000502.tif 000005
【図４】
2020000502.tif 000006
【図５】
2020000502.tif 000007
【図６】
2020000502.tif 000008
【図７】
2020000502.tif 000009
【図８】
2020000502.tif 000010
【図９】
2020000502.tif 000011
【図１０】
2020000502.tif 000012
【図１１】
2020000502.tif 000013
【図１２】
2020000502.tif 000014
【図１３】
2020000502.tif 000015
【図１４】
2020000502.tif 000016
【図１５】
2020000502.tif 000017
【図１６】
2020000502.tif 000018
【図１７】
2020000502.tif 000019
【図１８】
2020000502.tif 000020
【図１９】
2020000502.tif 000021
【図２０】
2020000502.tif 000022
【図２１】
2020000502.tif 000023
【図２２】
2020000502.tif 000024